(57)【要約】包装装置（１）は保管室（２５）の範囲を定めるハウジング（２０）を備える。保管室（２５）は、使用者が医療用容器（１０）を取り上げることができるように、医療用容器（１０）の１つがハウジング（２０）の外へ通過できるように構成された分配開口部（２５０）を備える。包装装置（１）はまた、使用前の位置で、ハウジング（２０）の保管室内（２５）に配置された鋭利物容器（４０）であって、鋭利物容器（４０）は、鋭利物容器（４０）が使用済み医療用容器（１０）の収集を可能にする収集位置で、ハウジング（２０）の外側に配置されるように前記保管室（２５）から取り外し可能である鋭利物容器（４０）を備える。鋭利物容器（４０）は、使用前の位置で複数の医療用容器（１０）を収容するように構成され、鋭利物容器（４０）は、鋭利物容器（４０）が使用前の位置から収集位置に移動したときに、医療用容器（１０）が鋭利物容器（４０）から保管室（２５）に落下することを可能にするように構成された落下窓（４１）を備える。
2021526407.tif 000002
【特許請求の範囲】
【請求項１】
複数の医療用容器（１０）を収容するように構成された包装装置（１）であって、
保管室（２５）の範囲を定めるハウジング（２０）であって、前記保管室（２５）は、使用者が医療用容器（１０）を取り上げることができるように、医療用容器（１０）の１つが前記ハウジング（２０）の外へ通過できるように構成された分配開口部（２５０）を備える、ハウジング（２０）と、
使用前の位置で、前記ハウジング（２０）の前記保管室内（２５）に配置された鋭利物容器（４０）であって、前記鋭利物容器（４０）は、前記鋭利物容器（４０）が使用済み医療用容器（１０）の収集を可能にする収集位置で、前記ハウジング（２０）の外側に配置されるように前記保管室（２５）から取り外し可能である鋭利物容器（４０）と、を備え、
前記鋭利物容器（４０）は、使用前の位置で複数の医療用容器（１０）を収容するように構成され、前記鋭利物容器（４０）は、前記鋭利物容器（４０）が使用前の位置から収集位置に移動したときに、医療用容器（１０）が前記鋭利物容器（４０）から前記保管室（２５）に落下することを可能にするように構成された落下窓（４１）を備えることを特徴とする包装装置。
【請求項２】
前記ハウジング（２０）の前記保管室（２５）は、医療用容器（１０）を前記分配開口部（２５０）に向けて案内するように構成されたガイド斜面（２５２）を備えることを特徴とする請求項１に記載の包装装置。
【請求項３】
前記鋭利物容器（４０）は、医療用容器（１０）を前記落下窓（４１）に向かって案内するように構成されたガイド斜面（４４）を備えることを特徴とする請求項１または２に記載の包装装置。
【請求項４】
前記鋭利物容器（４０）および前記保管室（２５）は、相補的な形状を有することを特徴とする請求項１ないし３のいずれかに記載の包装装置。
【請求項５】
前記鋭利物容器（４０）は、閉位置で前記落下窓（４１）を閉鎖し、開位置で前記落下窓（４１）を介して医療用容器（１０）が通過できるように構成されたシャッター（４５）を備えることを特徴とする請求項１ないし４のいずれかに記載の包装装置。
【請求項６】
前記使用前の位置で、前記シャッター（４５）は、前記保管室（２５）のガイド斜面（２５２）に寄りかかることを特徴とする請求項５のいずれかに記載の包装装置。
【請求項７】
前記シャッター（４５）は、前記鋭利物容器（４０）の壁（４２）に回転可能に取り付けられていることを特徴とする請求項５または６に記載の包装装置。
【請求項８】
前記鋭利物容器（４０）は、前記シャッター（４５）を閉位置に固定するように構成された固定手段を含み、前記固定手段は、前記鋭利物容器（４０）の使用前位置で機能しないように構成されることを特徴とする請求項５ないし７のいずれかに記載の包装装置。
【請求項９】
前記鋭利物容器（４０）は、使用者が前記保管室（２５）から前記鋭利物容器（４０）を引き出すことを可能にするように構成された把持部材（４６）を備えることを特徴とする請求項１ないし８のいずれかに記載の包装装置。
【請求項１０】
前記ハウジング（２０）は、医療用容器（１０）が前記分配開口部（２５０）を通って落下するのを防ぐために、前記分配開口部（２５０）から突出する隣接部材（２６）を備えることを特徴とする請求項１ないし９のいずれかに記載の包装装置。
【請求項１１】
前記ハウジング（２０）は、医療用容器（１０）が前記分配開口部（２５０）を通って前記ハウジング（２０）を出るときに、各医療用容器（１０）に含まれるデータを読み出すように構成されたデータ読み出し手段を備えることを特徴とする請求項１ないし１０のいずれかに記載の包装装置。
【請求項１２】
前記分配開口部（２５０）は、単一の医療用容器（１０）が一度に通過できるように寸法が定められていることを特徴とする請求項１ないし１１のいずれかに記載の包装装置。
【請求項１３】
前記ハウジング（２０）は、前記ハウジング（２０）内に収容される医療用容器（１０）を冷却するように構成された冷却手段を備えることを特徴とする請求項１ないし１２のいずれかに記載の包装装置。
【請求項１４】
前記保管室（２５）は第１の保管室（２５）であり、前記ハウジング（２０）は、前記ガイド斜面によって第１の保管室（２５）から分離された第２の保管室（２５）を含み、前記第２の保管室（２５）は、第２の複数の医療用容器（１０）の１つの医療用容器が通ることを可能にする分配開口部（２５０）を有し、前記包装装置（１）は、前記第２の複数の医療用容器（１０）を含むように構成された第２の鋭利物容器（４０）であって、前記第２の鋭利物容器が前記ハウジング（２０）から取り外されたとき、第２の複数の医療用容器（１０）が前記第２の保管室（２５）に落下することを可能にする落下窓（４１）を備える、第２の取り外し可能な鋭利物容器（４０）をさらに含むことを特徴とする請求項２、３または６に記載の包装装置。
【請求項１５】
前記包装装置（１）は医療用容器（１０）を含み、各医療用容器（１０）は円筒形の保護管（１０２）を含むことを特徴とする請求項１ないし１２のいずれかに記載の包装装置。
【発明の詳細な説明】
【技術分野】
【０００１】
本発明は、複数の医療用容器を保管および供給するように構成された包装装置に関する。
【背景技術】
【０００２】
本出願において、構成部分または装置の遠位端は、使用者の手から最も遠い端を意味すると理解され、近位端は、使用者の手に最も近い端を意味すると理解されるべきである。同様に、本出願において、「遠位方向」は、本発明の包装装置に収納される医療用容器に関して、注射の方向を意味すると理解され、「近位方向」は、上記注射の方向とは反対の方向、すなわち、注射操作に関して、医療用容器を保持している使用者の手に向かう方向を意味すると理解されるべきである。
【０００３】
充填済み注射器などの医療用容器には、ワクチンなどの医薬組成物を充填することができる。さらにまた、これらの医療用容器は、例えば看護師や薬剤師などの医療従事者に配布されることがある。各医療用容器は通常、医療用容器を無菌状態に維持するように構成されたブリスターパックに収容され、このブリスターパックは、医療用容器を保護、保管、および輸送することを可能にする箱型の包装装置内に入れられる。この包装装置は、多くの場合、単一の医療用容器を含むように構成されている。しかしながら、これらの個別の包装装置は、何百もの医療用容器を一緒に保管し、例えば冷蔵庫内で低温で一緒に保管する場合、非常に煩雑であるように思われる。したがって、よりコンパクトな包装の解決策が必要となる。
【発明の概要】
【０００４】
本発明の一態様は、複数の医療用容器を収容するように構成された包装装置であって、包装装置は、
保管室の範囲を定めるハウジングであって、前記保管室は、使用者が前記医療用容器を取り上げることができるように、前記医療用容器の１つが前記ハウジングの外へ通過できるように構成された分配開口部を備える、ハウジングと、
使用前の位置で、前記ハウジングの前記保管室内に配置された鋭利物容器であって、前記鋭利物容器は、前記鋭利物容器が使用済み医療用容器の収集を可能にする収集位置で、前記ハウジングの外側に配置されるように前記保管室から取り外し可能である鋭利物容器と、を備え、
鋭利物容器は、使用前の位置で複数の医療用容器を収容するように構成され、鋭利物容器は、鋭利物容器が使用前の位置から収集位置に移動したときに、医療用容器が鋭利物容器から保管室に落下することを可能にするように構成された落下窓を備える。
【０００５】
したがって、本発明による包装装置は、複数の医療用容器を保管し、これらの医療用容器を１つずつ配布することを可能にするものである。所定の数の医療用容器に対して、このマルチ包装装置は、個々の包装装置よりも煩雑でない包装解決策を提供する。その上、鋭利物容器がハウジングに収容される。これにより、輸送および保管時のコンパクトさを向上させることができる。
【０００６】
より詳細には、使用前の位置では、医療用容器は鋭利物容器内に収容され、鋭利物容器はハウジング内に収容されている。鋭利物容器は、それがハウジング内に収容されている限り、医療用容器が、鋭利物容器内に封入され、鋭利物容器、そしてハウジングから出ることができないように構成される。
【０００７】
最初の医療用容器を使用する前に、使用者は鋭利物容器をハウジングから引き出す。鋭利物容器は、使用前の位置から取り外されるとき、医療用容器を解放するように構成されている。医療用容器は、鋭利物容器からハウジング内に排出される。このように、ハウジングは、医療用容器の配布器として使用されるように構成される。実際のところ、医療用容器がハウジング内に入ると、それらは分配開口部を通って出ることができる。それらが使用されると、医療用容器は、ハウジングの外側に配置された鋭利物容器に再び入れることができる。総ての医療用容器が使用され、鋭利物容器に投入されると、鋭利物容器は、廃棄されるか、またはハウジング内に再び配置され得る。
【０００８】
鋭利物容器とは、汚染された針を備えた注射器など、鋭利な医療機器を使用後に安全に廃棄するように構成された容器であると理解すべきものである。鋭利物容器は、好ましくは硬いものであり、プラスチック材料でできていてもよい。
【０００９】
一実施形態では、ハウジングの保管室は、医療用容器を分配開口部に向けて案内するように構成されたガイド斜面を備える。
【００１０】
一実施形態では、鋭利物容器は、医療用容器を落下窓に向かって案内するように構成されたガイド斜面を備える。
【００１１】
一実施形態では、鋭利物容器および保管室は、相補的な形状を有する。より詳細には、鋭利物容器は、好ましくは、保管室にぴったりと合うように構成される。鋭利物容器の２つの隣接する壁は、保管室の２つの隣接する壁によって形成される角度に等しい角度を形成する。
【００１２】
一実施形態では、鋭利物容器は、閉位置で落下窓を閉鎖し、開位置で前記落下窓を介して医療用容器が通過できるように構成されたシャッターを備える。
【００１３】
一実施形態では、使用前の位置で、シャッターは、保管室のガイド斜面に寄りかかる。これにより、シャッターを開く準備をしたまま、シャッターを閉位置に維持することができる。鋭利物容器が保管室から引き出されるとき、重力および鋭利物容器内に収容される医療用容器の重量によってシャッターが開く。
【００１４】
一実施形態では、シャッターは、鋭利物容器の壁に回転可能に取り付けられている。これにより、医療用容器の早すぎる落下を防ぐことができる。これは、結果として、医療用容器が斜めになって分配開口部に向かう医療用容器の移動が妨げられることを防ぐことになる。
【００１５】
一実施形態では、鋭利物容器は、シャッターを閉位置に固定するように構成された固定手段を含み、前記固定手段は、鋭利物容器の使用前位置で機能しないように構成される。これにより、鋭利物容器を取り外すときに重力と医療用容器の重量によってシャッターを開くことができる一方、汚染された医療用容器が鋭利物容器に集められると鋭利物容器を密封することができる。
【００１６】
一実施形態では、鋭利物容器は、使用者が保管室から鋭利物容器を引き出すことを可能にするように構成された把持部材を備える。
【００１７】
有利には、ハウジングは、分配開口部を画定するための開くことができる引き出しを備える。
【００１８】
一実施形態では、ハウジングは、医療用容器が前記分配開口部を通って落下するのを防ぐために、分配開口部から突出する隣接部材を備える。隣接部材によって、使用者がアクセスできるこれらの医療用容器の少なくとも１つを維持することができる。
【００１９】
一実施形態では、ハウジングは、前記医療用容器が分配開口部を通ってハウジングを出るときに、各医療用容器に含まれるデータを読み出すように構成されたデータ読み出し手段を備える。これにより、包装装置内に残っている医療用容器の数、医療用容器の追跡、各医療用容器の日付または使用時間の記録などの有用な情報を収集することができる。
【００２０】
一実施形態では、分配開口部は、単一の医療用容器が一度に通過できるように寸法が定められている。
【００２１】
一実施形態では、ハウジングは、ハウジング内に収容される医療用容器を冷却するように構成された冷却手段を備える。これにより、医療用容器に含まれる医薬組成物を損傷することなく、包装装置を冷蔵庫の外で保管することが可能となる。
【００２２】
一実施形態では、保管室は第１の保管室であり、ハウジングは、前記ガイド斜面によって第１の保管室から分離された第２の保管室を含み、前記第２の保管室は、第２の複数の医療用容器の１つの医療用容器が通ることを可能にする分配開口部を有し、前記包装装置は、前記第２の複数の医療用容器を含むように構成された第２の鋭利物容器であって、それがハウジングから取り外されたとき、第２の複数の医療用容器が第２の保管室に落下することを可能にする落下窓を備える、第２の取り外し可能な鋭利物容器をさらに含む。
【００２３】
一実施形態では、包装装置は医療用容器を含み、各医療用容器は円筒形の保護管を含む。医療用容器が保管室に落下したとき、保護管が注射器を保護する。円筒形の形状により、医療用容器は、分配開口部に向かってガイド斜面上を効率的に転がることができる。
【００２４】
注射器は、好ましくは、充填済みの注射器である。
【００２５】
本発明およびそれから生じる利点は、以下の添付の図面を参照して以下に示す詳細な説明から明らかになる。
【図面の簡単な説明】
【００２６】
【図１】図１は、本発明の一実施形態による包装装置の斜視図である。
【図２】図２は、本発明の一実施形態による包装装置の斜視図であり、鋭利物容器が使用前の位置にある図である。
【図３】図３は、本発明の一実施形態による包装装置の斜視図であり、鋭利物容器が収集位置にある図である。
【図４】図４は、本発明の実施形態による包装装置における鋭利物容器の斜視図である。
【図５】図５は、本発明の一実施形態による包装装置の断面図である。
【図６】図６は、本発明の実施形態による包装装置の断面図である。
【図７】図７は、本発明の実施形態による包装装置の断面図である。
【図８】図８は、本発明の包装装置によって保管および配布されることを意図した医療用容器の斜視図である。
【図９】図９は、本発明の一実施形態による包装装置の斜視図である。
【発明を実施するための形態】
【００２７】
図１および図５を参照すると、本発明の実施形態による包装装置１が示されている。包装装置１は、例えば１００個以上の医療用容器１０など複数の医療用容器１０を収容および配布するように構成されている。医療用容器１０は、充填済みの注射器であり得る。注射器には、ワクチン、医薬品、または治療薬などの医薬組成物を事前に充填することができる。例えば、医療用容器１０は、インフルエンザワクチンが事前に充填された注射器であり得る。
【００２８】
包装装置１は、医療用容器１０を好ましくは１つずつ保管および分配できるように構成された箱型ハウジング２０と、使用後に医療用容器１０を収集するように構成された取り外し可能な鋭利物容器４０とを備える。
【００２９】
鋭利物容器４０は、ハウジング２０に対して以下の位置の間で移動可能である。
【００３０】
鋭利物容器４０がハウジング２０の内側にある使用前の位置（図１、図２、図５）。鋭利物容器４０は、使用前に医療用容器１０を含むように構成される。
【００３１】
使用済み医療用容器１０を収集するために、鋭利物容器４０がハウジング２０の外側にある収集位置（図３、図４）、
使用済み医療用容器１０を収容するために、鋭利物容器４０がハウジング２０の内側にある使用後の位置（図９）。使用前の位置と使用後の位置は類似していてもよい。
【００３２】
箱型ハウジング２０は、縦軸Ａの周りに延在する側壁２１を有することができる。側壁２１は、好ましくは縦軸Ａに平行な４つの面を有することができる。隣接する面は直交するものであってよい。箱型のハウジングは、直角の直方体であり得る。一実施形態では、ハウジング２０は立方体の形状を有する。ハウジング２０は、厚紙またはプラスチックで出来たものとすることができる。
【００３３】
ハウジング２０は、ハウジング２０からの、またはハウジング２０の内部への鋭利物容器４０の取り外しまたは挿入を可能にするように構成されたアクセス開口部２２を有する。アクセス開口部２２は、側壁２１の第１の端部２１０で区切られ得る。第１の端部２１０の反対側の第２の端部２１２は、ハウジング２０が平らな面上に載ることを可能にする底壁２３を備えてもよい。
【００３４】
ハウジング２０はまた、アクセス開口部２２を閉じるように構成された蓋２４を含み得る。蓋２４は、ハウジングから取り外し可能であり得るか、または側壁２１、例えば、第１の端部２１０に回転可能に取り付けられ得る。ハウジング２０は、蓋２４を閉位置に留めるように構成されたスナップ留め要素などの固定手段を備えることができる。
【００３５】
ハウジング２０は、鋭利物容器４０が使用前または使用後の位置にあるとき、鋭利物容器４０を収容し、図６および図７に示すように、鋭利物容器４０が収集位置にあるときに複数の医療用容器１０を収容するように構成された保管室２５を備える。好ましくは、鋭利物容器４０および保管室２５は、包装装置１が多数の医療用容器１０を保管することができるように、相補的な形状を有する。
【００３６】
図５を参照すると、保管室２５は、医療用容器１０がハウジング２０の外側へ通ることができるように構成された分配開口部２５０を備え、これにより、使用者が医療用容器１０を取り上げることが可能となる。分配開口部２５０は、好ましくは、単一の医療用容器が一度に通過できるように設計され、その結果、医療用容器１０が１つずつ分配される。分配開口部２５０は、長方形の形状を有し得る。分配開口部２５０は、分配開口部２５０を開くために引き出すことができる引き出しによって画定され得る。
【００３７】
図に示されるように、分配開口部２５０は、側壁２１を通って、例えば、側壁２１の第２の端部２１２に設けることができる。好ましくは、分配開口部２５０は、側壁２１の単一の面を通って設けられる。
【００３８】
保管室２５はまた、ハウジング２０の内側に延在し、鋭利物容器４０が取り外された後、医療用容器１０が重力によって分配開口部２５０に向かって移動するように構成されたガイド斜面２５２を備え得る。ガイド斜面２５２は、平面のガイド面を画定することができる。図に見られるように、ガイド斜面２５２は、縦軸Ａに直交する水平面に対して鋭角を形成する。
【００３９】
ガイド斜面２５２は、側壁２１の一方の面の中間部分に上端２５２ａを有し、側壁２１の反対側の面の第２の端部２１２に下端２５２ｂを有することができる。図示されていない実施形態では、ガイド斜面２５２は、側壁２１の一方の面の第１の端部２１０に上端２５２ａを有し得、一方、下端２５２ｂは、側壁２１の反対側の面の第２の端部２１２にある。その結果、ガイド斜面２５２は、ハウジング２０の内側を対角線状に延在することになる。分配開口部２５０は、ガイド斜面２５２の下端２５２ｂに隣接していてもよい。
【００４０】
ガイド斜面２５２、側壁２１および蓋２４は、保管室２５の範囲を定める。
【００４１】
ハウジング２０は、有利には、ガイド斜面２５２上を転がる医療用容器１０の落下を阻止するように構成された隣接部材２６を備える。隣接部材２６は、使用者がアクセス可能な少なくとも１つの医療用容器１０を保持することを可能にする。隣接部材２６は、分配開口部２５０の縁部に配置することができ、側壁２１から、より詳細には、側壁２１の第２の端部２１２から突出することができる。
【００４２】
隣接部材２６は、図に示されているように、ガイド斜面２５２との間で角度を形成する隣接壁であり得る。隣接部材２６は、ハウジング２０に対して固定され得るか、または隣接部材２６が分配開口部２５０を閉じる閉位置と、隣接部材２６が医療用容器１０が分配開口部２５０を通過することを可能にする開位置との間で移動可能とすることができる。ハウジング２０は、隣接部材２６を閉位置に維持するために、スナップ留め要素などの固定手段を備えることができる。隣接部材２６は、医療用容器１０の横方向の落下を防止する２つの側壁２６０を有利に備えることができる。
【００４３】
図８に見られるように、医療用容器１０は、充填済み注射器などの注射器１００、およびこの注射器１００を含む保護管１０２を含み得る。保護管１０２は、好ましくは、ガイド斜面２５２上を転がるように円筒形を有する。保護管１０２は透明であり得る。図示の実施形態では、保護管１０２は、密閉要素１０４によって密閉される開放端を備えている。保護管１０２および密閉要素１０４は、注射器１００を無菌雰囲気に維持するように構成される。アルミニウムシートなどの密閉要素１０４は、注射器１００を使用する前に、使用者によって剥がされてもよい。
【００４４】
医療用容器１０は、使用前の位置にある鋭利物容器４０の内部と、鋭利物容器４０が収集位置にあるときに、分配室２５の内部に対して互いに平行に配置されている。
【００４５】
好ましくは、医療用容器１０は、縦軸Ａに直交し得、好ましくは分配開口部２５０の長手方向に平行であり得る横方向Ｂに沿って包装装置の内部で長手方向に延在する。
【００４６】
使用前の位置では、医療用容器１０の第１の半分は、その遠位端が軸Ｂに沿った第１の方向を指していてもよく、医療用容器１０の第２の半分は、その遠位端が反対の軸Ｂに沿った第２の方向を向いていてもよい。これにより、使用前に包装装置１内の複数の医療用容器１０の重量のバランスをとることができる。
【００４７】
いくつかの医療用容器１０がハウジング２０内で斜めになるのを防ぐために、従って、いかなる閉塞をも回避するために、包装装置１は、医療用容器１０を互いに平行に維持するように構成された維持手段を備え得る。例えば、維持手段は、弾薬ベルトのように医療用容器１０を互いに接続する接続ベルト（図示せず）を備えるものである。
【００４８】
図に見られるように、保管室２５の幅は、医療用容器１０の長さ、より詳細には保護管１０２の長さＬの１００％から１３０％、好ましくは１００％から１１０％の間で構成され得る。保管室２５の幅は、ハウジング２０の２つの対向する面の間の横軸Ｂに沿った距離に対応し得る。
【００４９】
図２〜図５を参照すると、鋭利物容器４０は、それらが使用される前に複数の医療用容器１０を収容するように構成された内部容積を画定する。鋭利物容器４０は、医療用容器１０が鋭利物容器４０を離れ、鋭利物容器４０が使用前位置から収集位置に移動したときに医療用容器１０が保管室２５に落下することを可能にするように構成された落下窓４１を備える。
【００５０】
鋭利物容器４０は、４つの面を有し得る側壁４２を含み得、隣接する面は、例えば、互いに直交している。鋭利物容器４０は、例えば、側壁４２の第１の端部４２０に設けられた支持壁４３をさらに備えてもよい。支持壁４３は、鋭利物容器４０が収集位置にあるときに、鋭利物容器４０が平らな面上に載ることを可能にするように有利に構成される。
【００５１】
鋭利物容器４０は、有利には、鋭利物容器４０が使用前位置から取り外されるときに、医療用容器１０を落下窓４１に向けて案内するように構成されたガイド斜面４４を備える。ガイド斜面４４は、医療用容器１０が転がることができる平面を画定する。ガイド斜面４４は、側壁４２に対して傾斜しており、側壁の第１の端部４２０の反対側の第２の端部４２２に設けられ得る。落下窓４１は、ガイド斜面４４の、支持壁４３から最も遠い端に位置していることに留意されたい。
【００５２】
鋭利物容器４０のガイド斜面４４と保管室２５のガイド斜面２５２は、好ましくは互いに平行である。図には示されていないが、使用前および使用後の位置で、鋭利物容器４０のガイド斜面４４は、ハウジング２０のガイド斜面２５２に対して傾き、その結果、鋭利物容器４０は、保管室２５の全体積を占めてもよい。
【００５３】
図５を参照すると、鋭利物容器４０は、有利には、シャッター４５が落下窓４１を閉じる閉位置（図５）と、シャッター４５が医療用容器１０が落下窓４１を通過することを可能にする解放位置（図示せず）との間で移動可能なシャッター４５を備える。閉位置では、シャッター４５は、ガイド斜面４４と同一平面であり得る。
【００５４】
例えば、シャッター４５は、鋭利物容器４０に回転可能に取り付けられ、その結果、シャッター４５は、ガイド斜面２５２の上端２５２ａの方向に開く。シャッター４５の回転軸Ｒは、横軸Ｂ、より詳細には分配開口部２５０に平行であり得る。この回転軸は、支持壁４３からシャッター４５の最も遠い端に配置することができる。
【００５５】
側壁４２、支持壁４３、ガイド斜面４４、およびシャッター４５は、鋭利物容器４０の内部容積の範囲を定める。
【００５６】
図示されていない実施形態では、鋭利物容器４０は、シャッター４５を閉位置に固定するように構成された固定手段を備える。これらの固定手段は、鋭利物容器を使用する前の位置では、機能せず、鋭利物容器４０が収集位置から使用後の位置に移動する前に機能するように構成することができる。固定手段は、スナップ留め要素または固定手段を機能させるための、使用者が剥がさなければならないカバーシートで覆われた接着剤を含み得る。
【００５７】
好ましくは、使用前の位置では、シャッター４５は固定されておらず、保管室２５のガイド斜面２５２にもたれかかっている。これにより、シャッター４５をその閉位置の状態を維持することができ、鋭利物容器４０がハウジング２０から引き出されるとすぐに、重力によってシャッター４５が開くようにすることができる。
【００５８】
図２を参照すると、鋭利物容器４０は、有利には、使用者がハウジング２０の保管室２５から鋭利物容器４０を容易に引き抜くことができるように構成された把持部材４６を備える。把持部材４６は、使用者が指を通すことができる開口部であり得る。例えば、把持部材４６は、支持壁４３上に配置されている。
【００５９】
図示されていない実施形態では、包装装置１、より詳細には、ハウジング２０または鋭利物容器４０は、例えば、医療用容器１０が分配開口部２５０を介してハウジング２０を出るとき、または使用後の医療用容器１０が鋭利物容器４０内に収集されるとき、各医療用容器１０に含まれるデータを読み取るように構成されたデータ読み取り手段を含み得る。例えば、医療用容器１０は、それぞれ、ＲＦＩＤタグを含み得、ハウジング２０または鋭利物容器４０は、医療用容器のＲＦＩＤタグを読み取るように構成された読み取り機を含み得る。１つの読み取り機が、隣接部材２６に配置され得る。別の読み取り機がシャッター４５内に配置され得る。
【００６０】
データ読み取り手段は、保管室２５内に残っている未使用の医療用容器１０の数を使用者が知ることを可能にするために、使用済み医療用容器１０の数を数えるのに役立つことができる。あるいは、包装装置は、総ての医療用容器１０を接続する接続ベルト上に記された番号などの可視的表示器を備え得る。
【００６１】
包装装置１は、より詳細には、ハウジング２０が、当業者に知られている冷却回路など、医療用容器１０を冷却するように構成された冷却手段を有利には含み得ることにも留意されたい。冷却手段は能動的または受動的であり得る。
【００６２】
図示されていない実施形態では、ハウジング２０は、２つの保管室２５の範囲を定め、これらは、互いに対して反転させることができる。各保管室２５は、分配開口部２５０を備える。次に、包装装置１は、２つの鋭利物容器４０を含み、それぞれは、２つの保管室２５のうちの対応する１つの内部に受け入れられるように構成され、それぞれは、複数の医療用容器１０を受け入れるように構成される。２つの保管室２５は、ガイド斜面２５２によって分離され得る。このガイド斜面２５２は、２つの保管室２５に共通であり得る。ガイド斜面２５２の第１の面は、有利には第１の複数の医療用容器１０を、２つの保管室２５のうちの第１の保管室の分配開口部２５０に向けて案内するように構成され、一方、ガイド斜面２５２の第２の面は、第１の面の反対側にあり、第２の複数の医療用容器１０を、２つの保管室２５のうちの第２の保管室の分配開口部２５０に向けて案内するように構成される。ガイド斜面２５２は、有利には、ハウジング２０の内側で斜めに延在する。例えば、ガイド斜面２５２の上端２５２ａは、第１の端部２１０に配置され、ガイド斜面２５２の下端２５２ｂは、第２の端２１２に配置される。２つの保管室２５および２つの鋭利物容器４０を有するこの包装装置はまた、上述した包装装置１のいくつかまたはすべてを含み得る。
【００６３】
包装装置１の動作を以下に説明する。
【００６４】
図１を参照すると、包装装置１は、インフルエンザワクチンを充填済みの注射器など複数の医療用容器１０を収納している。医療用容器１０は、使用する準備ができている。これらの医療用容器１０は、使用前の位置にある、すなわち、ハウジング２０の内側、より詳細には保管室２５の内側に位置する鋭利物容器４０に収納される。包装装置１は、医療用容器１０を所定の温度で保管および維持するために、冷蔵庫内に保管することができる。使用者が医療用容器１０を使用する必要があるとき、使用者は、包装装置１を冷蔵庫から取り出すことができる。
【００６５】
図２を参照すると、使用者は、鋭利物容器４０にアクセスするために、蓋２４を取り除く必要がある。把持部材４６の助けによって、使用者は、鋭利物容器４０を保管室２５から引き出すことができる。それによって、シャッター４５は、ガイド斜面２５２にもたれかかることがなくなる。このシャッター４５は、重力およびシャッター４５の上の医療用容器１０の重量によって、自動的に開き（図５の矢印Ｃを参照）、医療用容器１０は、ガイド斜面４４によって落下窓４１に向かって案内され、落下窓４１を通り鋭利物容器４０の外に出ることができる。医療用容器１０は、ガイド斜面２５２に落下する。図６および図７に示されるように、重力およびそれらの円筒形によって、医療用容器１０は、ガイド斜面２５２上を分配開口部２５０に向かって転がる。
【００６６】
図３および図４を参照すると、使用者は、鋭利物容器４０を収集位置に置くことができる。この収集位置では、支持壁４３は、好ましくは、平らな面に載っている。
【００６７】
次に、使用者は、隣接部材２６を開位置に移動することによって、分配開口部２５０を開けることができ、その結果、医療用容器１０の第１の１つが分配開口部２５０を通過し使用者がアクセスできるようになる。
【００６８】
使用者は、アクセス可能な医療用容器１０をつかんで使用することができる。この医療用容器１０が分配開口部２５０から引き抜かれると直ぐに、複数の医療用容器のうちの別の医療用容器１０が、隣接部材２６によって停止されるまで、分配開口部２５０を通って自動的に移動する。
【００６９】
医療用容器１０が使用されると、使用者は、収集位置にある鋭利物容器４０内にそれを入れることができる。使用者は、使用済み医療用容器１０を落下窓４１に通す必要があり、その結果、その汚染された医療用容器は、鋭利物容器４０内に安全に回収される。
【００７０】
使用者が総ての医療用容器１０を使用しておらず、後で使用するためにそれらを保管したい場合、使用者は、医療用容器１０を所定の温度に保つように、ハウジング２０を冷蔵庫内に置くことができる。汚染された医療用容器１０は、ハウジング２０の外側および冷蔵庫の外側に保持されている鋭利物容器４０の内側に留まっている。
【００７１】
使用者は、例えば可視的表示器によって、保管室２５内にわずかな医療用容器１０しか残っていないことを知らされた場合、使用者は、別の複数の医療用容器１０を含む別の包装装置１を注文することができる。
【００７２】
総ての医療用容器１０が、使用され、鋭利物容器４０内に集められ、包装装置１が２つの保管室２５を有する場合、使用者は、この包装装置１を逆さまにして、第２の蓋２４、第２の保管室２５および第２の鋭利物容器４０を利用することができる。次に、使用者は、上記の操作を繰り返すことができる。
【００７３】
包装装置１に最初に収納されていた総ての医療用容器１０が、使用されて、１つまたは２つの鋭利物容器４０内に回収されると、使用者は、次に、固定手段を機能させてシャッター４５を閉位置に向かって動かすことにより、各鋭利物容器４０の落下窓４１を閉じることができる。次に、使用者は、鋭利物容器４０を使用後の位置に移動することができ、すなわち、対応する保管室２５内の鋭利物容器４０を交換することができる。次に、使用者は、蓋２４を閉じて、例えばリサイクル操作のために包装装置１を送り返すことができる。
【図１】
2021526407.tif 000003
【図２】
2021526407.tif 000004
【図３】
2021526407.tif 000005
【図４】
2021526407.tif 000006
【図５】
2021526407.tif 000007
【図６】
2021526407.tif 000008
【図７】
2021526407.tif 000009
【図８】
2021526407.tif 000010
【図９】
2021526407.tif 000011
【国際調査報告】
2021526407.tif 000012
2021526407.tif 000013